(57)【要約】取っ手と先端部とを設けた杖軸（１２）の第１の管状部品と第２の管状部品（１３、１４）との間に緩衝装置（１１）を備える、トレッキング用杖、スキーストック、又は歩行用杖などの杖（１０）。本発明によれば、緩衝装置（１１）は、管状部品（１３、１４）の一つに周方向に固定状態で支持され、他の管状部品（１４、１３）に対して軸方向に固定されたダンパーロッド（２６）を案内するガイドスリーブ（１６）と、前記ガイドスリーブ（１６）と前記ダンパーロッド（２６）との間で作用する圧縮ばね装置（３０）と、を備える。本発明の目的は、よりソフトな緩衝特性と、ぎこちなさが低減された最小反発の弾性特性とを有する緩衝装置を得ることである。これは、圧縮ばね装置（３０）に弾性ばね（２９）を提供することによって達成され、前記弾性ばね（２９）はつる巻状圧縮ばね（２８）と直列配列される。
2005506141.tif 000002
【特許請求の範囲】
【請求項１】
トレッキング用杖、スキーストック、又は歩行用杖などの杖（１０）であって、
取っ手と先端部とを具備する管状杖（１２）の第１の管状部品と第２の管状部品（１３、１４）との間に配置された緩衝装置（１１）であって、管状部品（１３、１４）の一つに周方向に固定されるように支持され、他の管状部品（１４、１３）に対して軸方向に固定されたダンパーロッド（２６）を案内する、ガイドスリーブ（１６）を有する、緩衝装置（１１）と、
前記ガイドスリーブ（１６）と前記ダンパーロッド（２６）との間で作用する圧縮ばね装置（３０）であって、少なくとも一つの弾性ばね（２９）を有する、圧縮ばね装置（３０）と、
を備える、杖（１０）。
【請求項２】
少なくとも一つの圧縮コイルばね（２８）が少なくとも一つの弾性ばね（２９）に対して並列に配列される、請求項１に記載の杖。
【請求項３】
少なくとも一つの圧縮コイルばね（２８）が少なくとも一つの弾性ばね（２９）に対して直列に配列される、請求項１に記載の杖。
【請求項４】
一つ以上の弾性ばね（２９）が一つ以上の圧縮コイルばね（２８）の一方又は両方の軸方向端部に配列される、請求項２に記載の杖。
【請求項５】
弾性ばね（２９）は、可変硬度を有する請求項４に記載の杖。
【請求項６】
前記圧縮コイルばね（２８）と前記弾性ばね（２９）からなる前記直列配列の軸方向一端が、前記ガイドスリーブ（１６）の内部ショルダ（２０）と接触し、他端が、前記ダンパーロッド（２６）の軸方向端面（２７）と接触する、請求項３乃至５の少なくとも一つに記載の杖。
【請求項７】
前記弾性ばね（２８）が中空シリンダである、請求項１乃至６の少なくとも一つに記載の杖。
【請求項８】
前記弾性ばね（２８）が中実シリンダである、請求項１乃至６の少なくとも一つに記載の杖。
【請求項９】
前記弾性ばね（２８）が、例えば、膨らんだ状態に拡大する外周を有する、請求項８に記載の杖。
【請求項１０】
前記圧縮コイルばね（２８）へ貫入されるネック（３７）を有する円板（３６）が、弾性ばね（２９）と圧縮コイルばね（２８）との間に設けられる、請求項３乃至９の少なくとも一つに記載の杖。
【請求項１１】
前記ダンパーロッド（２６）が、種々の軸方向の位置において、前記ガイドスリーブ（１６）に固定される、以上記載された請求項の少なくとも一つに記載の杖。
【請求項１２】
前記ダンパーロッド（２６）の、前記ガイドスリーブ（１６）内に配置された部分に、前記ダンパーロッド（２６）を越えて片側の径方向に延出するピン（４１）の形状の固定要素を具備し、前記ガイドスリーブ（１６）が前記ダンパーロッドに相対して回転する時に、前記ピンが、前記ガイドスリーブ（１６）の円周にわたって分散されるように配列された、長さの異なる軸方向ガイド溝（２２、２３）に選択的に受け取られる、請求項１１に記載の杖。
【請求項１３】
長さの異なる二つ以上のガイド溝（２２、２３）が、前記ガイドスリーブ（１６）の円周に沿って、９０°離間されて、設けられる、請求項９に記載の杖。
【請求項１４】
前記緩衝装置（１１）の前記ダンパーロッド（２６）の前記ガイドスリーブ１６から離間し該ガイドスリーブ１６に対向する端部に、持続的に摩擦固定するか、または段差形状によって固定するようにして、前記他の管状部品（１４、１３）に軸方向に固定され得る接続片を設けた、以上記載された請求項の少なくとも一つに記載の杖。
【請求項１５】
前記弾性ばね（２９）が、発泡プラスチック材料、好ましくは、ポリウレタンフォウムから作られる、以上記載された請求項の少なくとも一つに記載の杖。
【発明の詳細な説明】
【技術分野】
【０００１】
本発明は、杖に係り、より詳細には、請求項１の序文に記載のトレッキング用杖、スキーストック、又は歩行用杖に関する。
【背景技術】
【０００２】
特許文献１から公知であるタイプの杖においては、ダンパーロッドは、金属製の圧縮コイルばねに囲僥され、その元応力のレベル及び特性が設定されることにより、杖の使用中における緩衝特性が決定される。この点においての欠点は、がたつきおよび反発としてユーザが体感する、比較的硬いばね圧縮効果や反発弾性である。
【特許文献１】
ドイツ特許実用新案（ＤＥ−Ｕ）第２９８１３６０１号
【発明の開示】
【発明が解決しようとする課題】
【０００３】
これらの問題を解決するには、特別に巻回されたコイルばねを用いることが可能であるが、これには製造コストが掛かる。また、金属製の管を使用した場合には、管と金属製の圧縮コイルばねとの間にノイズが発生し得る。
【課題を解決するための手段】
【０００４】
本発明の目的は、あまり硬くない柔軟性のある緩衝特性を有し、がたつき感が少なく、また、低反発の弾性特性を有する、上記に引用されたタイプの、トレッキング用杖、スキーストック、又は歩行用杖などの杖を作製することにある。
【０００５】
上述のタイプの杖において、この目的を達成するために請求項１に記載されている特徴が提供される。
【０００６】
本発明によって提案される方法は、ばね力が大きくなるにつれて、よりソフトでより静かな圧縮効果のみならず、非線形ばね特性を生じる。ユーザーにとっては、がたつき感が少なく、低反発であることから、知覚される反発弾性を受け入れやすい。
【０００７】
特に好ましくは、弾性ばねと圧縮コイルばねの組み合わせが、請求項２の特徴に従って並列配列であるか、または、請求項３の特徴に従って直列配列である。
【０００８】
更に好ましい実施の形態として、請求項４の特徴に従って、緩衝装置を設計することができ、緩衝特性を更に最適化することができる。請求項５の特徴は、この前後関係から、引用され得る。
【０００９】
実施の形態の一例として、請求項６の特徴が記載されており、この直列配列における金属製のコイルばねが、好ましくは、プラスチック製のガイドスリーブ内に案内されることが特別に示されている。
【００１０】
弾性ばねは可変断面を有することができる。請求項７による変形例によれば、弾性ばねは一つ以上の金属製のコイルばねを囲僥することができる。請求項８及び／又は９に記載の例示的な実施の形態によれば、ばね特性が結果的に高くなり、従って、緩衝特性も高くなる。後者の場合は、弾性ばねが圧縮に応答して広がる時に壁面と接触して摩擦が生じ得る。
【００１１】
請求項１０の特徴には、圧縮コイルばねのための端部側保持装置が記載されている。
【００１２】
請求項１１の特徴は、緩衝特性、即ち、緩衝装置の硬度を変更し、これによって、ユーザ各自のニーズにより良く対応することができるように提供されている。これに関連して、請求項１２及び／又は１３の特徴によって、好ましい設計形状が提供されている。
【００１３】
更なる実施の形態において、請求項１１に記載の特徴は、好ましくは、緩衝装置が二つの入れ子式に移動可能な管状部品を連結する接続片を同時に支持するように設けられ、この接続片は、これら二つの部品を軸方向に、周方向に固定した状態で、接続する。
【００１４】
請求項１５の特徴としては、弾性ばねの一つの特別に有利で好ましいとされる設計について記載されている。
【００１５】
以下に記述のとおり、本発明の更なる詳細を、図面に示された実施の形態の一例に基づいて、本発明を極めて詳細に記述且つ説明する。
【発明を実施するための最良の形態】
【００１６】
図面にごく一部分が示された、例えば、トレッキング用杖、スキーストック、歩行用杖等の形態の杖１０は、一端が管状杖１２の第１の管状部品１３に支持され、他端が第１の管状部品１３内で軸方向に移動可能な管状杖１２の管状部品１４に支持された、緩衝装置１１を具備し、これによって、杖を使用している間、緩衝装置は、軸方向に固定され、周方向に固定（Ｒｏｔａｔｉｏｎａｌｌｙ  ｆｉｘｅｄ）されるように挟持され得る。この点において、管状杖１２の一端、即ち、管状部品１３及び１４の一つが図示されない取っ手に連結され（又は、これを具備し）、管状杖１２の他端、即ち、管状部品１３及び１４の他の一つが、図示されない先端又は他の入れ子式の管状部品に連結される（又は、これを具備する）。
【００１７】
緩衝装置１１は、例えば、プラスチック製のガイドスリーブ１６を有し、このガイドスリーブ１６の一方の内部領域２１が、この場合は、やや薄い他の管状部品１４に挿入されるとともに、外周に固定されるように管状部品１４内の内側自由端部１８に軸支される。図１に示されているように、端部１８は、径方向中ぐり盲穴１７が設けられ、この盲穴１７内へ管状部品１４が円周に沿って押圧され、これによって、前述の軸方向及び周方向の装着が、離脱不可能に提供される。ガイドスリーブ１６の外部領域内には、第２の管状部品１４の環状端面と接触するカラー（環管）１９を具備している。ガイドスリーブ１６が管状部品１４内へ押圧及び／又は接着されてもよいことは明確である。ガイドスリーブ１６は、軸方向中ぐり穴１５を有する。軸方向中ぐり穴１５は、自由端部１８の管状内部ショルダ２０が終端となり、この自由端部１８内で、より小さな直径を有する中ぐり穴１５となる。
【００１８】
管状部品１４を越えて延出し内側領域２１より大きな直径を有する領域２４において、ガイドスリーブ１６は、互いに９０°の角度で設定され、ガイドスリーブ１６の外部円周に形成される、二つの軸方向溝２２及び２３を有する。これらの溝２２及び２３は、内部領域に面する端部で、９０°に及ぶ径方向に配向された周方向溝２５によって、互いに連結される。軸方向溝２２及び２３と周方向溝２５は、同一幅を有する。
【００１９】
周方向溝２５側から見ると、軸方向溝２２は、軸方向溝２３より、軸方向長さが長い。長い方の溝２２の長さは図１に示されているが、短い方の軸方向溝２３の長さは図示されていない。
【００２０】
更に、緩衝装置１１は、ダンパーロッド２６を有する。ダンパーロッド２６は、円筒形断面部を有し、その一端の内部領域３４は、軸方向に移動可能であるようにガイドスリーブ１６内へ案内される。ダンパーロッド２６は、その他端の外部領域３５において、外部ねじ３１と円錐形先端部３３とを有し、拡張要素３２が、外部ねじ３１と円錐形先端部３３の上又はこれらを覆うようにねじ留めされ得る。拡張要素３２は、大径の第１の管状部品１３内で、周方向及び軸方向に固定されるが着脱可能であるように、緩衝装置１１を支持する。
【００２１】
ダンパーロッド２６の端面２７とガイドスリーブ１６内の内部ショルダ２０との間には、鋼ばねワイアで作られた圧縮コイルばね２８とプラスチック製の弾性ばね２９との直列配列からなる、圧縮ばね配列３０が支持されている。弾性ばね２９は、ポリウレタンフォウムなどの発泡プラスチック材料から作られるのが好ましい。図示されている実施の形態の一例におけるように、弾性ばね２９が、ダンパーロッド２６に面する圧縮コイルばね２８の一端上に配列されている場合、このタイプの弾性ばね２９が圧縮コイルばね２８の一端及び／又は他端にも設けられ得ることは、明らかである。更に、一つ以上の弾性ばね２９を圧縮コイルばね２８の一端又は両端に直列に配列することも考えられる。この場合、直列に配列された前述の弾性ばね２９は、異なるばね特性をもつもの、すなわち、異なる硬度のものを備えることがあってもよい。例示の実施の形態において、弾性ばね２９は、中実シリンダになるように構成され、ダンパーロッド２６と同一の又は少し小さな外径を有してダンパーロッド２６の端面２７と係合する。また、圧縮された時に外部直径が大きくなる弾性ばね２９を付与することも考えられ、これによって、弾性ばね２９は軸方向中ぐり穴１５の内壁と摩擦を生じ、これが、緩衝特性を高める働きをする。弾性ばね２９の遠端部は円板３６によって覆われ、円板３６はネック３７が圧縮コイルばね２８の一端内へ延出されるよう形成されている。
【００２２】
図１に示された初期位置において、圧縮ばね配列３０に予め応力を加え、これによって、ダンパーロッド２６は、ガイドスリーブ１６上の留めがねに接着ピン４１で押圧され、次に、拡張要素３２によって管状部品１３内に固定的に保持される。接触ピン４１は、ダンパーロッド２６を通って、横方向中ぐり穴４２内の前後方向のほぼ中央部分内にある。接触ピン４１の一端は、ダンパーロッド２６の外周を越えて径方向に延出され、その端部４３は、二つの軸方向溝のいずれか一つ、図１の場合は溝２２と係合する。直径方向に反対側の接触ピン４１の端部は、段差の付いた中ぐり穴として形成された横方向中ぐり穴４２内に位置し、その反対側のガイドスリーブ１６には、この外周領域に径方向の中ぐり穴４４が備えられている。この径方向中ぐり穴４４は、横方向中ぐり穴４２よりも大きな直径を有し、接触ピン４１が外れた時に、その役割を果たす。
【００２３】
図１に示される配列において、長い方の溝２２にその突出した端部４３を有する接触ピン４１は、軸方向前後に移動し得る。これによって、圧縮ばね配列３０が、最大経路にわたって、まとめて押圧されるか又は圧縮され得る。非線形の緩衝が、圧縮コイルばね２８と弾性ばね２９との異なるばね特性によって、達成される。伸張する場合も、即ち、弾性作用によるものであれば、同じことがあてはまる。
【００２４】
圧縮ばね列３０の完全に圧縮された状態において、図２（ａ）のＡ−Ａ断面において示されるように、接触ピン４１の端部４３は、端部留めがね上に配置され、図中、円周方向溝２５内で９０°移動され得る。この位置において、次に、接触ピン４１の端部４３は、短い方の軸方向溝２３の端部に位置し、これによって、ばねが緩んだ時に、接触ピン４３の端部を案内するように作用する。管状部品１３及び１４の軸方向に応力を加えないこの位置において、圧縮ばね配列３０は、図１の初期位置における場合よりも大きな力で圧縮される。即ち、反復される軸方向の応力に応じた異なる緩衝特性が、短い方の経路上で生成され、初期の緩衝特性は、より大きな応力が消費されることに依存する。
【００２５】
このように、接触ピン４１は、ダンパーロッド２６をガイドスリーブ１６に対して、周方向に固定して接続又は配列するだけでなく、管状部品１３と管状部品１４の軸方向の相対的な動作において、緩衝経路を制限するのを助ける役割を果たす。圧縮ばね配列３０に異なる元応力を得るには、異なる長さの二つ以上の軸方向溝２２、２３を設けることも可能であり、圧縮ばね配列３０の完全に圧縮された状態で、ガイドスリーブ１６とダンパーロッド２６の相対的な回転を介して、これらの溝内へ、接触ピン４１の端部４３が配置され得ることは言うまでもない。
【００２６】
圧縮コイルばね列３０は、一つ以上の弾性ばねからのみ構成されてもよい。更に、弾性ばねと圧縮コイルばねの組み合わせを、直列配列ではなく、並列配列で有することも可能である。
【００２７】
緩衝装置の構成が、長さ調節は可能だが、段階的に調整可能な加圧ノブシステムなどの異なる調節システムを有する杖だけでなく、長さ調節できない杖にも使用され得ることは言うまでもない。
【図面の簡単な説明】
【００２８】
【図１】本発明の好ましい実施の形態による緩衝装置を有する杖の領域を示す長手方向部分断面図である。
【図２】（ａ）は、図１のラインＡ−Ａに沿った断面図であり、（ｂ）は、図１のラインＢ−Ｂに沿った断面図であり、（ｃ）は、図１のラインＣ−Ｃに沿った断面図であり、それぞれ外側の管は図示していない。
【国際公開パンフレット】
2005506141.tif 000003
2005506141.tif 000004
2005506141.tif 000005
2005506141.tif 000006
2005506141.tif 000007
2005506141.tif 000008
2005506141.tif 000009
2005506141.tif 000010
2005506141.tif 000011
2005506141.tif 000012
2005506141.tif 000013
2005506141.tif 000014
【国際調査報告】
2005506141.tif 000015
2005506141.tif 000016
2005506141.tif 000017
2005506141.tif 000018